(57)【要約】ＬＥＤのような確実な信号送信器は、ビデオカメラのような確実なストリーム捕獲装置の所望の観察範囲内に配置される。確実な信号送信器は、遠隔地の観察者／プロセッサが確認することができる確実な信号を連続的に送信し、それによりカメラから送信されるビデオが実際に所望の範囲を含むことを確認する。
2006503377.tif 000002
【特許請求の範囲】
【請求項１】
下記を具備する監視のための方法：
少なくとも１つの監視される場所の観察範囲内で検出可能な少なくとも１つの確認信号を発生する；
前記確認信号を感知する；
前記確認信号を監視場所に送信する；および
前記確認信号に基づいて、前記観察範囲を感知することにより発生される監視ストリームが有効ストリームかどうかを決定する。
【請求項２】
前記確認信号はオーディオ／ビデオカメラにより感知される確実な可聴信号または視覚信号である、請求項１の方法。
【請求項３】
前記確認信号は視覚信号である、請求項１の方法。
【請求項４】
前記確認信号は可聴信号である、請求項１の方法。
【請求項５】
前記監視場所における呼掛けを発生し、それに応答して前記確認信号を発生することをさらに具備する、請求項１の方法。
【請求項６】
前記呼掛けは、人の手動行為により発生される、請求項５の方法。
【請求項７】
前記呼掛けは自動的に発生される、請求項５の方法。
【請求項８】
秘密を用いて、外部の呼掛けを受信することなく前記確認信号を発生することをさらに具備する、請求項１の方法。
【請求項９】
前記決定する行為は、前記確認信号を処理するための鍵を用いることを含む、請求項８の方法。
【請求項１０】
前記確認信号は乱数シードを用いて発生される、請求項８の方法。
【請求項１１】
前記監視する場所から前記監視される場所に前記シードを送信することにより前記乱数シードをリフレッシュすることを具備する、請求項１０の方法。
【請求項１２】
前記発生し、感知し、送信し、決定する行為は、実質的にリアルタイムで実行される、請求項１の方法。
【請求項１３】
少なくとも前記発生し、感知する行為は、実質的にリアルタイムで実行され、前記決定する行為は、リアルタイムで行われない、請求項１の方法。
【請求項１４】
信頼される観察者を用いて前記確認信号をリアルタイムで記録し、前記確認信号をデジタル署名と関連付けることを具備する、請求項１３の方法。
【請求項１５】
前記監視される場所は移動するプラットフォーム内にある、請求項１の方法。
【請求項１６】
実質的に連続的に前記確認信号を発生することを具備する、請求項１の方法。
【請求項１７】
下記を具備する監視システム：
監視される場所内の所望の観察範囲内に配置可能であり、少なくとも１つの認証信号を送信するように構成された少なくとも１つの確実信号送信器；
前記認証信号を受信するために前記監視される場所内に配置可能な少なくとも１つの認証信号捕獲装置；および
前記監視される場所から遠隔の監視する場所に配置可能であり、監視範囲が所望の範囲であることをリアルタイムで確認するのに使用するために少なくとも前記認証信号を含む、前記捕獲装置からの信号を受信するように構成される少なくとも１つの受信器。
【請求項１８】
前記確実信号送信器は可聴信号または視覚信号発生装置であり、前記捕獲装置は、オーディオ／ビデオカメラである、請求項１７のシステム。
【請求項１９】
前記認証信号は視覚信号である、請求項１７のシステム。
【請求項２０】
前記認証信号は可聴信号である、請求項１７のシステム。
【請求項２１】
前記確実信号送信器は、前記監視する場所において送信された呼掛けに応答して前記認証信号を発生する、請求項１７のシステム。
【請求項２２】
前記呼掛けは、人の手動行為によって発生される、請求項２１のシステム。
【請求項２３】
前記呼掛けを発生する前記監視する場所において少なくとも１つのプロセッサを具備する、請求項２１のシステム。
【請求項２４】
前記確実信号送信器は、秘密を用いて、外部の呼掛けを受信することなく前記認証信号を発生する、請求項１７のシステム。
【請求項２５】
前記確実信号送信器は、乱数シードを用いて前記認証信号を発生する、請求項２４のシステム。
【請求項２６】
リフレッシュされた乱数シードを発生する前記監視する場所においてプロセッサを具備し、前記リフレッシュされた乱数シードは、前記監視する場所から前記監視される場所に送信される、請求項２５のシステム。
【請求項２７】
前記認証信号を信頼された観察者としてリアルタイムで記録し、前記認証信号をデジタル署名と関連付ける記録装置をさらに具備する、請求項１７のシステム。
【請求項２８】
前記監視される場所は、移動するプラットフォーム内にある、請求項１７のシステム。
【請求項２９】
下記を具備する、監視のためのシステム：
少なくとも１つの監視される場所の観察範囲内で検出可能な確実信号ストリームを発生する手段；
前記確実信号ストリームを感知する手段；
前記確実信号ストリームを監視する場所に送信する手段；および
前記確実信号ストリームに基づいて、前記観察範囲を感知することにより発生される監視ストリームが有効ストリームかどうかを決定する手段。
【請求項３０】
前記確実信号ストリームは、可聴ストリームまたは視覚ストリームである、請求項２９のシステム。
【請求項３１】
前記監視する場所において呼掛けを発生する手段を具備し、前記確実信号ストリームを発生する手段は、前記呼掛けに応答する、請求項２９のシステム。
【請求項３２】
前記確実信号ストリームを発生する手段は、秘密を用いて、外部の呼掛けを受信することなく機能する、請求項２９のシステム。
【請求項３３】
信頼される観察者を用いて前記確実信号ストリームをリアルタイムで記録し、前記確実信号ストリームをリアルタイムでデジタル署名と関連付ける手段を具備する、請求項２９のシステム。
【請求項３４】
前記監視される場所は航空機内である、請求項２９のシステム。
【請求項３５】
前記確実信号ストリームを実質的に連続的に発生することを具備する、請求項２９のシステム。
【請求項３６】
下記を具備する監視システム：
監視される場所を定義するプラットホーム；
前記監視される場所内にあり、所望の観察範囲のリアルタイムオーディオ／ビデオストリームを発生する少なくとも１つのオーディオ／ビデオカメラ、前記オーディオ／ビデオストリームは、前記プラットフォームから遠隔にある監視する場所に送信される；
前記範囲内に配置され、前記オーディオ／ビデオストリーム内で観察可能な確実な可聴信号および／または視覚信号を発生する少なくとも１つの確実信号送信器；および
前記確実な可聴信号および／または視覚信号に基づいて、前記オーディオ／ビデオストリームが所望の範囲であることをリアルタイムに確認する、監視する場所における少なくとも１つの観察者。
【請求項３７】
前記観察者は、プロセッサを含むまたはプロセッサをアクセスする、請求項３６のシステム。
【請求項３８】
前記確実な可聴信号および／または視覚信号は、監視する場所からの呼掛けに応答して発生される、請求項３６のシステム。
【請求項３９】
前記確実な可聴信号および／または視覚信号は、前記監視する場所からの呼掛けを受信することなく、少なくとも１つの乱数シードに基づいて発生される、請求項３６のシステム。
【請求項４０】
前記乱数シードは、前記監視する場所から周期的にリフレッシュされる、請求項３９のシステム。
【請求項４１】
次のストリームの確認のために、前記オーディオ／ビデオストリームをリアルタイムで記録し、前記ストリームにタイムスタンプを刻印し、デジタル的に署名する少なくとも１つの信頼される観察者をさらに具備する、請求項３６のシステム。
【発明の詳細な説明】
【技術分野】
【０００１】
この発明は一般に監視システムに関する。
【背景技術】
【０００２】
監視システムはセキュリティを促進するために多数のアプリケーションで使用される。一般的には、監視システムは、監視しようとする場所に取り付けられた１つ以上のビデオカメラを含む。カメラは、ビデオ映像を、保安要員によってビデオが観察される中央監視エリアに送られるか、後で見るために記憶されるか、またはその両方である。
【０００３】
この発明によって認識されるように、既存の監視システムはいくつかの欠点を受ける。１つの欠点は認証の欠点である。すなわち、監視しているものが実際に監視カメラまたは監視システムの範囲内に実際にあるものかどうかを確認する欠点である。ここに理解されるように、監視カメラからのオーディオ／ビデオストリームは、カメラによりデジタル的に署名することができるが、保証するのは、ストリームが署名するカメラからのものであり、ストリーム自体が所望の監視範囲の映像を正確に表しているわけではない。すなわち、デジタル署名は、情報源カメラの同一性を確認するが、カメラから送信されているものが所望の監視範囲のリアルタイム映像であることを確認しない。例えば、誰かが監視システムを欺こうと試みることによりカメラを介して偽の映像が供給されていることを確認しない。上で述べた観察をさせることにより、この発明は、１つ以上の従来技術の欠点に対して下記に開示する解決方法を提供する。
【発明の概要】
【０００４】
監視のための方法は、監視される場所の観察範囲内で検出することができる検証信号を発生することを含む。確認信号は感知され監視場所に送られる。確認信号に基づいて、観察範囲を感知することにより発生される監視ストリームが有効なストリームかどうかが決定される。
【０００５】
好適な限定しない実施形態において、確認信号は、オーディオ／ビデオカメラにより確実に聞こえるまたは目に見える信号である。例えば、これに限定されないが、暗号鍵のような秘密を使用して発生される予測できないランダムなストリームの変調であることができる。所望であれば、監視場所から乱数シードを周期的にリフレッシュすることができる。あるいは、監視場所において呼掛け(challlenge)を発生することができる。それに応答して確認信号が発生される。呼掛けは人の手動により発生することもできるし、または自動的に発生することもできる。
【０００６】
望ましくは、確認信号は、実質的にリアルタイムで発生され、感知され、監視場所に送信され、解析される。あるいは、将来の再生および解析のために、確認信号は、信頼された観察者によって監視ストリームとともに記録し、タイムスタンプを刻印することができ、そして信頼された観察者によりデジタル的に署名することができる。監視される場所は、航空機、船、列車あるいは乗り物のような動いている場所であり得る。
【０００７】
他の観点において、監視システムは、監視される場所内の所望の観察範囲内に配置することができ、少なくとも１つの認証信号を送信するように構成される確実な信号送信器を含む。認証信号獲得装置はまた、認証信号を受信するために監視される場所に配置することができる。そして、受信器を監視される場所から遠く離れた監視する場所に配置することができ、獲得装置から、信号を受信するように構成される。信号は、監視の範囲がリアルタイムで所望の範囲であることを確認する際に、獲得装置の使用のための認証信号を含む。
【０００８】
さらに他の観点において、監視のためのシステムは、監視される場所の観察範囲内で検知可能な確実な信号ストリームを発生する手段を含む。手段は確実な信号ストリームを感知する。そして、手段は、確実な信号ストリームを監視場所に送信するために提供される。確実な信号ストリームに基づいて、観察範囲を感知することにより発生される監視ストリームが有効ストリームであるかどうかを決定するための手段も提供される。
【０００９】
さらに他の観点において、監視システムは、監視される場所を定義する動く歩道を含み、監視される場所におけるオーディオ／ビデオカメラは、所望の観察範囲のリアルタイムのオーディオ／ビデオストリームを発生する。オーディオ／ビデオストリームは移動するプラットフォームから監視場所に送信される。確実な信号送信器も範囲内に配置される。そして確実な信号送信器は、オーディオ／ビデオストリームの一部である確実な視覚信号または可聴信号を発生する。監視場所の観察者は、確実な可聴信号または視覚信号に基づいて、可聴／視覚ストリームが所望の範囲であることをリアルタイムで確認する。
【００１０】
この発明の詳細は、その構造および動作の両方に関して、類似した参照符号が類似したパーツを指す、添付した図面を参照して最もよく理解できる。
【発明を実施するための最良の形態】
【００１１】
最初に図１を参照すると、一般に１０で示されるシステムが示される。このシステムは、１つ以上の監視されるロケーション１２においてビデオ監視を達成し、監視ビデオを望ましくはリアルタイムで１つ以上の監視場所１４に選択的に送信する。この監視場所１４は、監視される場所１２から遠く離れていることができ、監視される場所１２と有線または無線の送信原理を介してまたは衛星通信システムを介して通信することができる。１つの制限しない例として、監視される場所１２は、航空機のコックピット、または船舶、列車、または乗り物のような他の移動するプラットフォームにおける場所であり得る。遠隔監視場所１４は、遠隔監視場所と無線通信している地上の監視局であり得る。または、監視される場所１２は、監視場所１４と無線通信または有線通信している固定された場所であり得る。監視場所１４は、固定のまたは携帯の場所または装置であり得る。
【００１２】
図１に示すように、少なくとも１つのそれぞれの認証信号獲得装置１６が各場所１２に配置される。獲得装置１６は、ビデオカメラ、またはマイクロフォン、または、監視される場所１２内の観察の範囲を表すリアルタイム監視ストリームを発生するｒｆ受信器であり得る。または、獲得装置１６は、例えば、ビデオカメラのような一般的な監視ソースは別として機能するＣＣＤであるスタンドアロン装置であり得る。あるいは、レンズおよびファイバー光ケーブルのようなデバイスは、獲得または記録のために、映像を他の場所に送信するために使用することができる。
【００１３】
観察の範囲内には、確実な送信器１８がある。送信器１８は、以下の開示に従って、確実な確認ストリームを発生する。所望であれば、確実な信号発生器１８は、不正開封を防止するためのエンクロージャーで囲むことができる。ストリームは捕獲装置１６により感知される。確実な信号送信器１８は、制限しない一例として、発光ダイオードまたは観察の所望の範囲内に位置する視覚信号の他の情報源であり得る。または、確実な信号送信器１８は、観察の所望の範囲内に位置するスピーカまたは他のオーディオ信号情報源であり得る。または実際には、確実な信号送信器１８は、ｒｆ送信器であり得る。しかしながら、いずれにせよ、実施されると、確実な信号送信器は望ましくは、送信器からの信号は連続したストリームまたは周期的に送信されるバースト、またはときどきに作られ、捕獲装置１６により検出される他のディスクリートな送信であるという点において、確実なストリーム信号を送信する。確実な信号は、望ましくは、初期の乱数シードに基づいていてもよいランダムに発生された、または擬似ランダムに発生されたストリームの変調に従って発生される。
【００１４】
マイクロプロセッサー２０または他の処理回路網、またはコントローラーは、１つ以上の捕獲装置１６および確実な信号送信器１８と関連することができる。捕獲装置１６からの信号は、有線または無線トランシーバ２２を用いて、遠隔監視場所１４に送信することができる。確実な信号送信器１８が可聴式のまたは視覚の確実な信号を送信するＬＥＤまたはその均等装置またはスピーカまたはその均等装置であり、捕獲装置１６が監視ビデオカメラ自体であるとき、認証信号は、監視オーディオ／ビデオストリーム内に送信されなければならない。
【００１５】
遠隔監視場所１４を参照すると、トランシーバ２４は、監視される場所１２からの信号を受信する。信号は、フローチャートに従って、マイクロプロセッサ２６により必要に応じて解析のために処理される。この目的のために、マイクロプロセッサ２６は、望ましくは、ソフトウエア実施されるロジックモジュールをアクセスしてロジックを実行することができる。マイクロプロセッサ２６は、これに限定されるわけではないが、確実な信号送信器１８からの信号を含むビデオ信号のような出力信号を、人により視認するために出力することができる。所望であれば、マイクロプロセッサ２６は以下の議論に従って、アラーム信号を可聴または視覚アラーム３２に出力することができる。入力装置３４は、以下に記載するシステム１０に対する呼掛けを含むデータを入力するために使用することができる。
【００１６】
図２乃至４は、コンピュータープログラムソフトウェアで具現化される１つ以上のマイクロプロセッサ２０、２６により実行されるロジックを示す。当業者は、フローチャートがこの発明に従って機能するコンピュータプログラムコードエレメントまたは電子ロジック回路のようなロジックエレメントの構造を図解することを理解するであろう。明白に、この発明は、その必須の実施形態において、デジタル処理装置（すなわち、コンピュータ、コントローラ、プロセッサ、等)に図示する論理エレメントに対応する一連の機能ステップを実行するように指示する形態に論理エレメントをさせる機械コンポーネントにより実施される。
【００１７】
言いかえれば、ロジックは一連のコンピュータまたは制御素子実行可能な命令として１つ以上のマイクロプロセッサ２０、２２６により実行されるコンピュータプログラムによって具現化してもよい。論理モジュールの一部であり得るこれらの命令は、例えば、ＲＡＭまたはハードドライブまたは光ドライブに常駐してもよい。または、命令は、磁気テープ、電子リードオンリメモリまたは動的に変更または更新することができる他の適切なデータ記憶装置に記憶してもよい。
【００１８】
図２のブロック３６において始まり、認証ストリームとも呼ばれる確実なストリームは、監視または観察の所望の範囲内で、上で定義したように望ましくは連続的に、送信器１８により発生され、送信される。１つの観点において、この確実なストリームは、実質的に予測不可能であるという意味では、確実である。例えば、ストリームは、暗号的に発生された擬似乱数ストリームであってもよい。任意の適切な擬似乱数発生器を使用することができる。例えば、カウンタモードにおけるブロック暗号は、制限なしに使用することができる。
【００１９】
ブロック３８において、捕獲装置１６は、確実なストリームを捕獲する。確実なストリームは、遠隔の観察者による観察のために監視場所１４に送信される。観察者は、確実なストリームに基づいて、所望の範囲が監視されることを確認する人および／またはプロセッサであり得る。例えば、人は、モニタ３０を見て、送信器１８、すなわち、例えばＬＥＤが、図３および図４に関連して以下にさらに完全に記載するように、点滅の「修正」シーケンスに従って、点滅しているかどうか決定することができる。または、マイクロプロセッサ２６は、信号を実質的にリアルタイムで処理することができ、正確さを確認するために信号をデコードすることができる。エラーが決定ダイヤモンド４０で検出されるなら、アラーム３２をアクティブにすることができ、および／または他の修正措置を取ることができる。
【００２０】
この発明は、一実施形態において、確認信号は、監視場所１４からのリアルタイムのランダムな呼掛けに応答して発生することができることを描く。従って、図３のブロック４４において、監視場所４４は呼掛けを発生することができる。例えば、人は、スイッチのような入出力装置３４を「オフ」および「オン」のランダムパターンでトグルすることができる。パターンはブロック４６においてリアルタイムで確実信号送信器１８に送信され、送信器に呼掛けを反復または正確に映し出させる。またはそうでなければ、ブロック４８において、送信器に所定の方法で呼掛けに応答させる。呼掛けに対する応答は、ブロック５０において監視場所１４に返送される。確実な信号送信器１８が監視される場所１２のビデオストリームを発生するビデオカメラの視野におけるＬＥＤなら、ブロック５２において、人は、人によってトグルされる「オフ」および「オン」のパターンがＬＥＤにより実質的にリアルタイムで正しく反復されているかどうか（または他の適切な応答が観察されるかどうか)をモニタ３０を用いて観察することができ、それにより監視カメラからのリアルタイムビデオストリームが所望の観察範囲であることを確認する。あるいは、プロセッサ３４は呼掛けを確実な信号送信器１８に自動的に発生することができ、戻りビデオストリームを処理して正しい応答が受信されたかどうかを決定することができる。さらに他の代替実施形態において、応答は呼掛けのデジタル署名であり得る。
【００２１】
図３に示す呼掛けスキームと対照的に、図４は、確実な信号送信器１８が呼掛けに基づいてではなく、擬似乱数シードを用いた内部符号化スキームに基づいて確実な信号を発生することができることを示す。一例として、確実信号送信器は、擬似乱数シードを用いて、データストリームを発生し、公開／秘密鍵ペアの秘密暗号鍵でストリームを変調することができる。そして、監視場所におけるプロセッサ２６は公開鍵を用いて認証信号を確認することができる。または、両方の場所の間で共有される秘密鍵を使用することができる。捕獲装置自体は、追加されたセキュリティのために捕獲された信号をデジタル的に署名してもよい。
【００２２】
ブロック５４において始まって、送信器１８は、これに限定されるわけではないが、上述した鍵のような秘密を用いて確実信号を発生する。秘密は、確実信号送信器１８を含むことができる（またはできない)不正開封を防止するエンクロージャ内の監視される場所１２に保持することができる。確実信号は、ブロック５６において監視場所１４に送信され、ブロック５８において、監視場所１４（例えば、その場所におけるプロセッサ２６)は上述した公開（または共有される秘密)鍵を用いて実質的にリアルタイムでストリームを復号し、それが正しいと確認することができ、それゆえ、監視ストリームにおいて提供されている観察範囲が所望の（正しい)リアルタイム範囲であると確認することができる。所望であれば、ブロック６０において、監視場所１４から送信された新しい乱数シードを周期的に確実信号送信器１８に送信し、シードをリフレッシュすることができる。
【００２３】
また、図３および図４に示す両方の実施形態の場合に、ブロック６２において、確実な信号ストリームを有する監視ストリームは、信頼された観察者により受信されるとリアルタイムで信頼される観察者により記録することができる。信頼された観察者は、ストリームが受信されるとストリームにタイムスタンプを刻印し、デジタル的に署名する。次に、ストリームは実質的にオフラインで解析され、上述の原理に従って、いつストリームが信頼される観察者によってリアルタイムで受信されたか、正しい範囲であったかを決定することができる。
【００２４】
上述したこの発明の目的を完全に得ることができる、監視システムからのライブフィードを認証するためのシステムおよび方法をここに示しかつ詳細に記載したけれども、それは現時点において、この発明の好適実施形態であって、従ってこの発明により広く熟考される主題を表し、この発明の範囲は当業者に明白であるかもしれない他の実施形態を完全に含み、従ってこの発明の範囲は、添付されたクレーム以外のものによって限定されず、また、ひとつのエレメントへの参照は、唯一と明示的に記載しない限り「唯一」を意味することを意図しておらず、むしろ「１つ以上」を意味することを意図していると理解されるべきである。当業者に知られているまたは後に知られるようになる上述の好適実施形態のエレメントに対するすべての構造的および機能的均等物は、参照することにより、明示的にここに組み込まれ、このクレームにより包含されるように意図される。さらに、装置または方法がこの発明によって解決しようとする各問題に対処する必要はない。なぜならば、それはこのクレームにより包含されているためである。更に、エレメント、コンポーネントまたは方法ステップがクレームにおいて明示的に記載されるかどうかに関わらず、この開示におけるエレメント、コンポーネントまたは方法ステップは公に捧げられるようには、意図されない。エレメントがフレーズ"means for"を用いて明示的に記載されない限り、または、方法クレームの場合には、エレメントが「行為」の代わりに「ステップ」として記載されない限り、３５Ｕ．Ｓ．Ｃ．１１２条第６パラグラフの規定の下でここに示すクレームエレメントが解釈されるべきでない。
【図面の簡単な説明】
【００２５】
【図１】図１は現在好適な監視システムのブロック図である。
【図２】図２はこの発明の全体のロジックのフローチャートである。
【図３】図３は、現在のロジックの１つの制限しない例のフローチャートである。
【図４】図４は、現在のロジックの他の制限しない例のフローチャートである。
【図１】
2006503377.tif 000003
【図２】
2006503377.tif 000004
【図３】
2006503377.tif 000005
【図４】
2006503377.tif 000006
【国際調査報告】
2006503377.tif 000007
2006503377.tif 000008
2006503377.tif 000009